(57)【特許請求の範囲】
【請求項１】
フロントパネルに設けた空気吹出し口の前面側にファンガードが装着され、背面側にベルマウスが取付けられて該ベルマウスの背面側にファンが設置された室外ユニット本体を有し、
前記フロントパネルの前面側において前記空気吹出し口の上方に、円弧状で樋状のガイドルーフを設け、
前記ガイドルーフは、後壁、底部及び前壁によって形成された溝部を有し、該溝部は両端部が端壁により閉塞され前記後壁に前記フロントパネルに設けた開口部と連通する流水穴を設けたことを特徴とする空気調和機の室外ユニット。
【請求項２】
フロントパネルに設けた空気吹出し口の前面側にファンガードが装着され、背面側にベルマウスが取付けられて該ベルマウスの背面側にファンが設置された室外ユニット本体を有し、
前記フロントパネルの前面側において前記空気吹出し口の上方に、前記フロントパネルの前面側に沿って流下する雨水を受けてその両端部から排水する円弧状で樋状のガイドルーフを設け、
前記ガイドルーフは、後壁、底部及び前壁によって形成された溝部を有し、該溝部は両端部が端壁により閉塞され前記後壁に該端壁に近接して前記フロントパネルに設けた開口部と連通する流水穴を設けたことを特徴とする空気調和機の室外ユニット。
【請求項３】
前記ガイドルーフは、後壁、底部及び前壁によって形成された溝部を有し、該溝部の両端部が開口されていることを特徴とする請求項１又は請求項２記載の空気調和機の室外ユニット。
【請求項４】
前記室外ユニット本体の底板に、前記フロントパネルに近接して排水口を設けたことを特徴とする請求項１又は請求項２記載の空気調和機の室外ユニット。
【請求項５】
前記ガイドルーフは、後壁の背面側に先端部に係止爪を有する一対の係止体を複数対有し、該係止片を前記フロントパネルに設けた係止穴にそれぞれ挿入してその両側に設けた係止部に前記係止爪を係止させ、該フロントパネルに取付けられることを特徴とする請求項２〜４のいずれかに記載の空気調和機の室外ユニット。
【請求項６】
前記フロントパネルに四角形状の凹部を設けて該凹部に空気吹出し口を設け、該凹部の段差部に沿って前記ファンガードを装着すると共に、前記空気吹出し口の上方と前記凹部の段差部との間に前記ガイドルーフを設けたことを特徴とする請求項１〜５のいずれかに記載の空気調和機の室外ユニット。
【発明の詳細な説明】
【技術分野】
【０００１】
本発明は、空気調和機の室外ユニットに係り、より詳しくは、フロントパネルにベルマウスを有する室外ユニットにおいて、雪解け水や雨水が浸入してベルマウス内で氷柱が発生するのを防止するようにした空気調和機の室外ユニットに関するものである。
【背景技術】
【０００２】
従来の空気調和機の室外ユニットは、図９、図１０に示すように、人の手によるファン１２への接触防止を目的として、金属板からなり、室外ユニット本体１の前面に設置されたフロントパネル２の凹部３に設けた空気の吹出し口５にファンガード１１が設けられている。
【０００３】
このファンガード１１とフロントパネル２との間にすき間ｇがあると、積雪地帯において、室外ユニット本体１のトップパネル９上に積雪した際、雪３０が解けて、解けた雪解け水３１がフロントパネル２の表面を伝わって流下し、フロントパネル２とファンガード１１とのすき間ｇから浸入してベルマウス１０に伝わり、空気調和機の運転による氷点下の吹出し風によって冷され、ベルマウス１０上で氷結し、氷柱３２となってファン１２と干渉することがあった。
【０００４】
このような問題を解消するために、室外ユニットの前板の空気吹出口の外周に凹設した案内溝部を設け、この案内溝部により室外ユニット本体の上面からの雪解け水や雨水の水滴を、空気吹出口の外周に沿って下方に案内するように構成されたものがある。この案内溝部には、上下溝及び左右溝に室外ユニット本体の内部に連通する排水孔がそれぞれ水平方向に設けられており、室外ユニットの上面から雪解け水や雨水が室外ユニット本体の前板を伝わって流下する際に、これらの水滴が案内溝部に案内されながら流下し、排水孔から室外ユニット本体の内部に排出されるようにした技術が開示されている（例えば、特許文献１参照）。
【先行技術文献】
【特許文献】
【０００５】
【特許文献１】実公昭６２−２９８６３号公報（第２−３頁、図１）
【発明の概要】
【発明が解決しようとする課題】
【０００６】
特許文献１に記載された室外ユニットは、案内溝部の上下端及び左右端に排水孔が設けられているため、案内溝部を流下する水滴が多く、また流下する水滴の流速が大きくなると、本来、案内溝部により空気吹出口の外周に沿って流下する水が、案内溝部によって流れ方向が規制できず、案内溝部の表面から前板を伝わってベルマウスに流入してしまい、空気調和機の運転による氷点下の吹出し風に冷されてベルマウス上で氷結し、氷柱となってファンに干渉し、異音が発生したりファンが損傷したりするおそれがあった。
【０００７】
また、案内溝部には排水孔が設けられており、この排水孔が人目にふれると室外ユニットの意匠性を損ね、ひいてはこの室外ユニットを据付けた住宅の外観を損ねるという問題があった。
【０００８】
本発明は、上記の課題を解決するためになされたもので、ベルマウスへ雪解け水や雨水が浸入することがなく、ベルマウス上に氷柱が発生するのを防止することのできる氷柱発生防止機能を有し、さらに、フロントパネルに設けた排水孔が直接目にふれないように構成することで、意匠性を損うことのない、空気調和機の室外ユニットを提供することを目的としたものである。
【課題を解決するための手段】
【０００９】
本発明に係る空気調和機の室外ユニットは、フロントパネルに設けた空気吹出し口の前面側にファンガードが装着され、背面側にベルマウスが取付けられて該ベルマウスの背面側にファンが設置された室外ユニット本体を有し、
前記フロントパネルの前面側において前記空気吹出し口の上方に、円弧状で樋状のガイドルーフを設け、前記ガイドルーフは、後壁、底部及び前壁によって形成された溝部を有し、該溝部は両端部が端壁により閉塞され前記後壁に前記フロントパネルに設けた開口部と連通する流水穴を設けたものである。
【発明の効果】
【００１０】
本発明によれば、フロントパネルの前面に沿って流下する雨水がベルマウスに浸入することがなく、ベルマウス上に氷柱が発生するのを防止することができ、また、フロントパネルに設けた排水口が直接目に触れることのないため意匠性を損うことのない空気調和機の室外ユニットを得ることができる。
【図面の簡単な説明】
【００１１】
【図１】本発明の実施の形態１に係る空気調和機の室外ユニットの一部を省略した正面図である。
【図２】図１の側面図である。
【図３】図１のＡ−Ａ断面図である。
【図４】図３のＤ部の拡大図である。
【図５】図１のガイドルーフのフロントパネルへの取付構造を示す説明図である。
【図６】実施の形態１の作用説明図である。
【図７】本発明の実施の形態２に係る空気調和機の室外ユニットの要部の正面図である。
【図８】図７のＢ−Ｂ拡大断面図である。
【図９】従来の空気調和機の正面図である。
【図１０】図９のＣ−Ｃ拡大断面図である。
【発明を実施するための形態】
【００１２】
［実施の形態１］
本発明の実施の形態１に係る空気調和機の室外ユニットを示す図１〜図４において、１は空気調和機の室外ユニットの本体（以下、ユニット本体という）で、前面側に設けたフロントパネル２には、四角形状で底部が平坦な凹部３が形成されており、この凹部３には円形の空気吹出し口５が設けられている。６はユニット本体１の底板、８はサイドパネル、９はトップパネルである。
【００１３】
１０は空気吹出し口５の周縁の内側に沿って設けられたベルマウス、１１は周縁がフロントパネル２の凹部３の段差部３ａに沿って設けられたファンガードである。１２はその外径がベルマウス１０の外径により若干小径のファンで、その駆動モータ１３はユニット本体１の背面側に設けた固定部材１４に取付けられている。１５は固定部材１４の背面側に設けられた熱交換器である。
【００１４】
２０は空気吹出し口５よりやや大径で円弧状のガイドルーフで、空気吹出し口５と凹部３の段差部３ａとの間において、フロントパネル２（凹部３）に空気吹出し口５とほぼ同心的に取付けられている。このガイドルーフ２０は、図４に示すように、フロントパネル２（凹部３）に固定される後壁２１ａと、その上下方向のほぼ中央部に設けた底部２１ｃと、底部２１ｃの前面側に設けられた前壁２１ｂと、後壁２１ａと前壁２１ｂとの間に形成されて、上面が開口された溝部２２とにより、樋状に形成されている。なお、溝部２２の左右両端部は開口されている。
このガイドルーフ２０は、フロントパネル２に取付けたときに、その両端部が空気吹出し口５の中心を通る水平線により、若干上方に位置するような大きさに設定されている。
【００１５】
このガイドルーフ２０には、例えば図５に示すように、後壁２１ａの円弧方向の複数箇所に、先端部に係止爪２４ａを有する各一対の係止片２４が設けられており、この係止片２４をフロントパネル２に設けた係止穴２ａにそれぞれ挿入し、その両側に設けた係止部２ｂに係止爪２４ａを係止させて、フロントパネル２に固定する。
【００１６】
上記のように構成した本実施の形態によれば、図１〜図６に示すように、室外ユニットのトップパネル９上に積った雪３０の雪解け水や雨水など（以下、これらを一括して雨水３１という）がフロントパネル２の前面を伝わって流下すると、この雨水３１はガイドルーフ２０の前壁２１ｂ及び溝部２２で受けられ、溝部２２内を両端部２３に向って流れ、両端部２３から流出して空気吹出し口５の両側から下方に排出される。
このため、雨水３１がベルマウス１０内に浸入することがなく、氷柱が発生してファン１２と干渉することもない。
【００１７】
なお、室外ユニットの据付環境によっては、流下する雨水の量及び流速が異なることもあるが、このような場合は、図４に示すように、ガイドルーフ２０の前壁２１ｂの高さＨ及び溝部の幅Ｗの両者又はいずれか一方を調整することにより、これに対応することができる。
【００１８】
また、ガイドルーフ２０は前壁２１ｂを有するので、ガイドルーフ２０の後壁２１ａに設けた係止片２４やフロントパネル２に設けた係止穴２ａなどを隠蔽することができるため、室外ユニットの意匠性を損うことがないばかりでなく、これを据付けた住宅の外観が損われることもない。
【００１９】
［実施の形態２］
図７は本発明の実施の形態２に係る空気調和機の室外ユニットの要部の前面図、図８は図７のＢ−Ｂ拡大断面図である。なお、実施の形態１と同じ部分には、これと同じ符号を付してある。
本実施の形態においては、ガイドルーフ２０の溝部２２の左右の端部は端壁２５により閉塞されており、後壁２１ａの底部２１ｃ側には端壁２５に近接して流水穴２６が設けられて、フロントパネル２の凹部３に設けた流水穴２６より大きい開口部４に連通している。さらに、底板６の前面側近傍には、排水口７が設けられている。
【００２０】
上記のように構成した本実施の形態において、フロントパネル２の前面側を伝わって流下した雨水３１は、ガイドルーフ２０の前壁２１ｂ及び溝部２２に受けられ、溝部２２内を両端部に向って流れ、流水穴２６から開口部４を経てユニット本体１の内部に流入し、フロントパネル２の背面に沿って流下して、底板６に設けた排水口７から外部へ排出される。
【００２１】
本実施の形態においても、実施の形態１の場合とほぼ同様の効果を得ることができるが、さらに、室外ユニットを高所に据付けた場合に、底板６の排水口７から排出された雨水３１を適宜導くことができるので、室外ユニット１のフロントパネル２の前面に沿って雨水３１が落下し、人体を濡したりすることがない。
【００２２】
上記の各実施の形態においては、フロントパネル２に凹部３を設け、この凹部３に空気吹出し口５やガイドルーフ２０等を設けた場合を示したが、凹部３を省略し、平板状のフロントパネル２に空気吹出し口５やガイドルーフ２０等を設けてもよい。
【符号の説明】
【００２３】
１  ユニット本体、２  フロントパネル、２ａ  係止穴、２ｂ  係止部、３  凹部、３ａ  段差部、４  開口部、５  空気吹出し口、６  底板、７  排水口、８  サイドパネル、９  トップパネル、１０  ベルマウス、１１  ファンガード、１２  ファン、１３  駆動モータ、１４  固定部材、１５  熱交換器、２０  ガイドルーフ、２１ａ  後壁、２１ｂ  前壁、２１ｃ  底部、２２  溝部、２３  端部、２４  係止片、２４ａ  係止爪、２５  端壁、２６  流水穴、３０  雪、３１  雨水、３２  氷柱。
【図１】
0005558378.tif 000002
【図２】
0005558378.tif 000003
【図３】
0005558378.tif 000004
【図４】
0005558378.tif 000005
【図５】
0005558378.tif 000006
【図６】
0005558378.tif 000007
【図７】
0005558378.tif 000008
【図８】
0005558378.tif 000009
【図９】
0005558378.tif 000010
【図１０】
0005558378.tif 000011